(57)【特許請求の範囲】
【請求項１】
自動車用途において照明装置を駆動するシステムであって、
第１回路、第２回路、及び照明装置を有し、
前記第１回路は、オン状態で電力を前記第２回路へ供給し、オフ状態で電力を前記第２回路へ供給せず、前記第２回路は、エネルギーを保持するよう構成される誘導回路を有し、前記第１回路は、自動車用電源へ結合されるように配置される正極電位端子及び負極電位端子へ結合され、前記負極電位端子は、自動車用接地電位へ結合されるように配置され、
前記第２回路は、前記オフ状態で、前記第２回路に保持されているエネルギーを前記照明装置へ供給し、
前記照明装置は、陽極及び陰極を備える発光ダイオード又は有機発光ダイオードを有し、前記照明装置及び前記自動車用電源は、互いから電気的に減結合されるか、又はガルバニック絶縁され、
前記照明装置は、該照明装置の前記陽極へ接続されるスラグを有し、該スラグは、熱抵抗を減らすために、絶縁層が介在することなしにヒートシンクに直接取り付けられ、それにより、前記自動車用接地電位へ結合されるように配置される、前記陽極から前記スラグを介して前記ヒートシンクへの電気的な接続が存在する、システム。
【発明の詳細な説明】
【技術分野】
【０００１】
本発明は、一般的に、照明装置及び照明装置の駆動に関する。
【背景技術】
【０００２】
発光ダイオード（ＬＥＤ）又は有機発光ダイオード（ＯＬＥＤ）を持つ照明装置は、高い輝度を呈し、汎用照明市場において今日重要なものとなっている。これら照明装置は既に今日、その単色光のために信号及び看板に利用されている。これら照明装置は、近い将来、白熱電球のような従来のランプにとって代わることが期待されている。ＬＥＤ照明装置の更なる利点は、優れた信頼性及び振動に対する低い感受性である。この結果、斯かる照明装置は、特に例えば尾灯のような自動車用途において、従来のランプにとって代わることとなるであろう。
【０００３】
上述した照明装置は、かなりの電力を必要とする。尾灯の赤色ＬＥＤは、例えば３Ｗを必要とする。しかしながら、斯かるＬＥＤを持つ照明装置の信頼性及び相対光出力は、接合部温度に非常に大きく依存する。高い電力消費により増大した接合部温度は、耐用年数を短くし、相対光出力を低減させてしまう。これらの影響を制限するため、照明装置の適切な冷却が必須である。それ故、照明装置は、高い熱伝導率の熱的接触を確立するためのスラグ（slug）を有しても良く、該スラグはヒートシンクに装着される。
【発明の概要】
【発明が解決しようとする課題】
【０００４】
車載環境においては、バッテリの負極電位及びシャーシ自体は通常、接地される。更に、ヒートシンクもまた接地される。ＬＥＤ照明装置用の従来の駆動回路を用いる場合、ヒートシンクと照明装置とは、互いに対して電気的に絶縁される必要がある。このことは、増大した熱抵抗をもたらし、相対光出力を制限してしまう。
【０００５】
米国特許出願公開US2005/0068776A1は、熱抵抗を持つヒートシンクに装着されたＬＥＤ素子を記載している。しかしながら、適用される電源に接続された、ＬＥＤ素子から出るリード線を、共に絶縁することが必要である。ＬＥＤ素子は、螺子によって、ヒートシンクに機構的及び熱力学的に直接に接続される。それ故、熱抵抗が存在し、更にはそのことが斯かる照明装置の性能を制限してしまう。
【０００６】
それ故、本発明の目的は、過熱による損傷に対する、照明装置の十分な保護を提供することにある。本発明の他の目的は、照明装置の長く続く信頼性、並びに優れた及び一貫した放射を提供することにある。本発明の他の目的は、照明装置の最適な冷却を可能とする照明回路を提供することにある。
【課題を解決するための手段】
【０００７】
これらの及び他の目的は、照明装置を駆動するためのシステムであって、照明装置を駆動するための駆動電力を供給するための駆動回路を有し、前記照明装置は、陽極が前記駆動回路の接地電位となるように照明回路内に配置され、前記照明装置は、陰極が前記接地電位に対して負である電位となるように前記照明回路内に配置され、前記陰極における電位は、前記駆動回路の正極電位から電気的に減結合された、システムによって達成される。
【０００８】
該照明回路のための必要な駆動電力は、多くの場合において、接地された負極を持つ直流（ＤＣ）電圧源であっても良い。該ＤＣ電圧源は前記駆動回路内に一体化されても良く、その駆動電力は該照明回路によって照明装置へと転送される。
【０００９】
本発明の照明装置は、スラグに装着されても良いＬＥＤ素子を有しても良い。該スラグの目的は、可能な限り適切なＬＥＤ素子のヒートシンクへの熱的な結合を可能とする、高い熱伝導率の熱接触を確立することである。それ故、照明装置の陽極は、該スラグに接続されても良い。それによりＬＥＤ素子は、最適な熱結合のために、ヒートシンクに電気的にも結合されることとなる。該システムは、照明装置の容易な冷却の可能性を提供する。従って、該照明回路の陽極は、接地電位にある。接地電位に対して負の電位の陰極を持つことが、好適となり得る。この構成は、電流が照明装置を流れることを可能とする。斯かる構成を可能とするため、照明装置の陰極の電位を、駆動回路の正極電位から減結合する（decouple）ことが必要である。
【００１０】
駆動回路の正極電位から陰極における電位を電気的に減結合することにより、種々の相対電位を接地することが可能である。例えば、駆動回路の負極が接地されても良く、同時に照明回路の陽極も接地されても良い。
【００１１】
駆動回路の正極電位と照明装置の陰極における電位との電気的な減結合は、本発明の実施形態に従って減結合ユニットにより達成される。該減結合ユニットは、照明回路内に配置されても良い。斯かる減結合ユニットは、スイッチ及び／又はダイオードであっても良い。それ故、照明装置の容易な冷却と共に、一定の単色光出力が提供される。
【００１２】
本発明の実施形態によれば、バックブースト（buck-boost）・コンバータ・トポロジが利用される。バックブースト・コンバータ・トポロジは、エネルギーを蓄えるためのコイル及び任意のコンデンサを有し得る。コンデンサは更に、照明装置を通る電流の流れを滑らかにするためにも利用され得る。照明装置は、コイルに並列に、及び任意のコンデンサにも並列に、接続されても良い。照明装置としては、特にＬＥＤが利用されても良い。斯かるバックブースト・コンバータ・トポロジは、駆動回路から照明装置への直接の電流の流れを回避するための減結合ユニットとして働くダイオードを含んでも良い。更に、該回路はスイッチユニットを呈しても良い。該スイッチユニットは、例えばバイポーラ・トランジスタ又は電界効果トランジスタのような半導体スイッチであっても良い。該トポロジにより、照明装置の陽極を接地することが可能となる。更に、該トポロジを実装するためのコストは低い。照明装置の配線が容易に利用され得る。該回路は特に、１つのＬＥＤのみが利用される場合には効果的である。自動車用途においては、斯かる照明装置がしばしば利用される。
【００１３】
本発明の実施形態によれば、照明回路及び駆動回路は互いから電気的に減結合され、減結合ユニットにより駆動回路から照明回路へと駆動電力が転送される。斯かる減結合ユニットは、幾つかのＬＥＤ装置の利用を可能とし得る。
【００１４】
本発明の実施形態のシステムによれば、照明回路から駆動回路を減結合するために変圧器が利用される。変圧器は一般に、数あるなかでも、２つの部分の間の電気的な絶縁を可能とする。駆動電力は、可変磁束により転送される。利用され得る変圧器としては、例えば蓄積変圧器又は高周波変圧器のような、種々の種類の変圧器がある。
【００１５】
本発明の実施形態によるフライバック（flyback）・コンバータ・トポロジが、更に好ましい。フライバック・コンバータは、二次コイルが照明装置の電源として働く変圧器を有し得る。エネルギーは、変圧器のエアギャップ内に蓄えられる。更に、二次側における照明回路は、負電流を回避するダイオードと、エネルギーを蓄え電流の流れを滑らかにするための任意のコンデンサと、を有しても良い。また、光を発するためのＬＥＤが実装される。一次側における駆動回路は、ＤＣ電圧供給源とスイッチユニットとを有しても良い。該スイッチユニットは、例えばバイポーラ・トランジスタ又は電界効果トランジスタのような半導体スイッチであっても良い。このことは、多大なコストの必要なく、容易な実装を可能とする。
【００１６】
本発明の実施形態のシステムによれば、フォワード・コンバータ・トポロジが代わりに利用される。減結合ユニットは、２つの一次コイルと１つの二次コイルとを含んでも良い。ここで、これら２つの一次コイルは互いから絶縁されても良く、駆動回路はスイッチユニットとダイオードとを有しても良い。該スイッチユニットは、ここでもまた、半導体スイッチであっても良い。更に、照明回路は、２つのダイオードと、駆動回路のＤＣ電圧源から得られたエネルギーを蓄えるためのインダクタとを有しても良い。変圧器は、高周波変圧器であっても良く、エネルギーを蓄えないものであっても良い。電流を滑らかにするため、コンデンサもが更に配置されても良い。このことは、多大なコストの必要なく、相対光出力の改善を可能とする。
【００１７】
本発明の実施形態のシステムによれば、スイッチユニットが、駆動回路から照明回路への駆動電力の転送を操作する。既に言及したように、短いスイッチ時間及び少ないスイッチ損失のため、半導体スイッチが利用されても良い。該スイッチユニットが導通状態である場合、エネルギーは照明回路へと転送され得る。該スイッチが非導通状態である場合、エネルギーは転送されない。
【００１８】
該スイッチユニットのデューティサイクルは、制御ユニットにより制御される。本発明の実施形態に従うシステムによれば、照明装置を流れる電流が一定となるような該スイッチユニットのデューティサイクルを選択することが好適である。照明装置を流れる一定の電流は、望ましい一定の光出力に帰着する。該スイッチユニットは、パルス幅変調信号により制御されても良い。
【００１９】
照明装置を流れる電流が一定となるように該電流を制御するため、通常は該電流を測定することが必要となる。それ故、本発明の実施形態に従うシステムによれば、照明回路にシャント（shunt）抵抗が備えられ、ここで該シャント抵抗を流れる電流と照明装置を流れる電流とが等しくなるようにされる。
【００２０】
該シャント抵抗は、照明装置に直列に接続されても良い。その結果、本発明の実施形態に従うシステムによれば、該シャント抵抗における電圧降下を測定することにより、電流値を得ることが可能となり得る。該得られた電圧と既知の抵抗値とから、制御ユニットは、照明装置を流れる電流値を容易に算出することができる。該制御ユニットは、これらの結果に基づいて、スイッチユニットを制御しても良い。該シャント抵抗は、フライバック又はフォワード・コンバータ・トポロジによる回路内で、接地電圧を基準とされても良い。このことは、電圧の測定を単純化し得る。
【００２１】
本発明の実施形態に従うシステムによれば、冷却ユニットが、照明装置に直接に接続され、また直接に接地される。電力消費の大きな照明装置が利用される場合には、冷却ユニットの使用は必須である。さもなければ、斯かる照明装置の損傷が発生し得る。照明装置を冷却するためには、主にヒートシンクが利用される。本発明においては、照明装置は、高い熱伝導率を持つ熱拡散器としてスラグを有しても良い。該スラグは、可能な限り効果的な冷却のため、ヒートシンクに直接に装着されても良い。ここでの接続は、熱伝導性の接着剤により行われても良い。斯かる優れた冷却は低いＬＥＤ接合部温度に帰着し、それ故非常に優れた信頼性をもたらす。
【００２２】
既に言及されたように、照明装置の陽極は、該スラグに電気的に接続されても良い。本発明の実施形態に従うシステムによれば、照明装置の陽極は、接地された冷却ユニットに接続される。既に説明された減結合により、冷却ユニットとスラグとの間の絶縁は省略され得る。このことは、可能な限り低い熱抵抗に帰着する。
【００２３】
本発明の実施形態のシステムによれば、照明装置は、冷却ユニットのみならず照明回路にも装着され、該照明回路に対する負極接続が、取り付け螺子又は冷却クランプにより為される。一方では照明装置及び／又は照明回路の筐体により、他方では例えば配線、螺子又はクランプによる単一の接続により、電気的及び機械的な接続を通して電気回路が実現される。
【００２４】
複数の照明装置の利用が必要である場合には、本発明の実施形態に従うシステムによれば、これら照明装置は、全て同一の冷却ユニットに装着されても良く、共通の接地電位を持っても良い。幾つかのヒートシンクを用いる必要がなく、それにより幾つかの照明装置の実装の労力が小さくなる。
【００２５】
更に、本発明の実施形態に従うシステムによれば、二次側に複数のタップを持つ変圧器が好適である。これらタップのそれぞれの間に、照明装置が接続されても良い。照明回路を直列に接続することが理にかなっている。しかしながら、動作のためには、複数の巻線のそれぞれが絶縁されていることが必須である。１つの変圧器しか使わないことは、ここでもまた、小さなコストに帰着する。
【００２６】
他の態様は、照明装置を駆動するための方法であって、駆動回路内で、照明装置を駆動するための駆動電力を供給するステップと、照明回路内の前記照明装置を、陽極が前記駆動回路の接地電位となるように結合するステップと、前記照明回路内の前記照明装置を、陰極が接地電位に対して負である電位となるように結合するステップと、前記陰極における電位を前記駆動回路の正極電位から電気的に減結合するステップと、を備えた方法である。
【００２７】
更なる態様は、照明装置を駆動するための方法であって、照明装置を駆動するための駆動回路から駆動電力を受信するステップと、照明回路内に配置された前記照明装置の陽極内で前記駆動回路の接地電位を受信するステップと、前記照明装置の陰極において接地電位に対して負の電位を受信するステップと、を備え、前記陰極における電位は、前記駆動回路の正極電位から電気的に減結合される、方法である。
【００２８】
他の１つの態様は、照明装置を駆動するためのモジュールであって、照明装置を駆動するための駆動回路から駆動電力を受信するための受信手段を備え、前記照明装置は、陽極が前記駆動回路の接地電位となるように照明回路内に配置され、前記照明装置は、陰極が前記接地電位に対して負である電位となるように前記照明回路内に配置され、前記陰極における電位は、前記駆動回路の正極電位から電気的に減結合された、モジュールである。
【００２９】
本発明のこれらの及び他の態様は、図面を参照しながら説明され明らかとなるであろう。
【図面の簡単な説明】
【００３０】
【図１】先行技術によるシステム。
【図２】実施例によるシステム。
【図３】幾つかのＬＥＤの相対光出力及び接合部温度を示すグラフ。
【図４（ａ）】第１の実施例による回路。
【図４（ｂ）】第２の実施例による回路。
【図５】第３の実施例による回路。
【図６】更なる実施例によるシステム。
【発明を実施するための形態】
【００３１】
本発明は、照明装置の冷却の改善と、相対光出力の改善とを提供する。
【００３２】
図１において、先行技術によるシステム１００が示される。システム１００は、照明装置１０２を有する。照明装置１０２は、例えばＬＥＤ素子である。更に、高い熱伝導率を持つ物質から成るものであっても良い、スラグ１０４が示される。スラグ１０４は、照明装置１０２に直接に接続される。更に、照明装置１０２の陰極１１２及び陽極１１０が示される。陽極１１０は、スラグ１０４に接続される。更に、ヒートシンク１０８が示される。該ヒートシンク１０８は接地電位に接続される。駆動電力は正の電位である。このため、スラグ１０４とヒートシンク１０８とは、互いから絶縁される必要がある。それ故、絶縁層１０６が必須であるが、該層は高い熱的な絶縁をもたらす。従って、特定の接合部温度に到達するＬＥＤのための最大駆動電力は比較的低く、実現可能な光出力が減少する（図３も参照されたい）。
【００３３】
図２は、本発明によるシステム２００を示す。既知のユニットは繰り返して言及されず、図１と同一の参照番号を持つ。システム１００とシステム２００との違いは、省略された絶縁層１０６である。スラグ１０４はヒートシンク１０８に直接に装着され、その結果、熱抵抗の著しい減少をもたらす。電気的には、このことは、陽極１１０から、スラグ１０４を通って、接地されたヒートシンク１０８への電気的な接続が存在する結果となる。駆動回路及び照明回路は、この電気的な接地を持つ、照明装置１０２を駆動することが可能である必要がある。このことは、以下に詳細に説明される、少なくとも電圧源の正極電位と照明装置の陰極における電位との減結合により実現される。
【００３４】
図３において、ＬＥＤの相対光出力と接合部温度との間の関係をグラフが示している。３つの異なるＬＥＤ、即ち赤色、赤橙色及び黄色が、接合部温度に依存する相対光出力に関して測定された。室温において、相対光出力が１００％である。接合部温度が増大すると、相対光出力は著しく減少する。それ故、高い光出力を得るためには、照明装置の適切な冷却が必須である。
【００３５】
図４ａは、本発明の第１の実施例による回路を示す。図示される回路は、バックブースト・コンバータ・トポロジで構成されている。回路全体が、２つの部分に分けられる。一方の部分は駆動回路４１６であり、他方の部分は照明回路４１８となり得る。
【００３６】
駆動回路４１６は、例えばＤＣ電圧のような電圧源４０２を含む。電圧源４０２の負極電位は、接地電位である。図４ａによれば、電界効果トランジスタであっても良いスイッチユニット４０８が、直列に接続されている。駆動回路４１６はまた、照明装置４１２を通る電流値を得るための、及びスイッチユニット４０８を制御するための、制御ユニット４２４を提供する。制御ユニット４２４は、端子４２８及び４３０を呈する。端子４３０ａ及び４３０ｂは電圧測定のために配置され、端子４２８ａ及び４２８ｂはスイッチユニット４０８を制御するために配置される。
【００３７】
本実施例によれば、照明回路４１８は、ＬＥＤであっても良い照明装置４１２を含む。照明装置４１２の陽極は、接地される。それ故、照明装置４１２の陽極は、電圧源４０２の負極電位と同じ電位を持つ。更に、減結合ユニットとして働くコイル４２６が、接地とダイオード４０６の陰極との間に配置される。該ダイオード４０６の陽極は、シャント抵抗４１０により、照明装置４１２の陰極へと接続される。照明装置４１２を流れる電流を滑らかにするため、シャント抵抗４１０及び照明装置４１２に並列に、任意のコンデンサ４１４が接続されても良い。
【００３８】
バックブースト・コンバータ・トポロジは、スイッチユニット４０８の状態に依存して、２つの異なる状態を呈する。
【００３９】
オン状態の間は、スイッチ４０８は導通状態であり、電圧源４０２からコイル４２６を通って電流が流れる。該電流は、エネルギーがコイル４２６内に蓄えられることをもたらす。ダイオード４０６が逆バイアス状態となるため、該電流は照明装置４１２へは流れることができない。任意のコンデンサ４１４が実装される場合には、該電流は該コンデンサ４１４を通って流れることもできない。エネルギーが任意のキャパシタ４１４内に既に蓄えられているという事実のため、電流はシャント抵抗４１０を通って流れることができ、光を発するため照明装置４１２を通って流れることができる。制御ユニット４２４は、端子４３０ａ及び４３０ｂにより、シャント抵抗４１０における電圧降下を測定する。該得られた電圧と既知のシャント抵抗４１０とから、制御ユニット４２４は、照明装置４１２を流れる電流値を算出することが可能である。スイッチユニット４０８のデューティサイクルは、電流値が所定の値に到達した場合に切り換わり得るように制御される。任意のコンデンサ４１４が実装されない場合には、該デューティサイクルは、人間の目が一定の光出力を知覚するように動作しても良い。
【００４０】
オフ状態においては、スイッチ４０８は非導通状態であり、駆動回路４１６からの電流は照明回路４１８へと流れることができない。その代わり、コイル４２６は電流を保持しようとし、またコイル４２６は磁束の変化に抗して動作しようする。これにより、照明装置４１２、シャント抵抗４１０及び逆バイアス状態でないダイオード４０６を通り、電流が流れる。それ故、光が発せられる。任意のコンデンサ４１４が実装される場合には、該コンデンサ４１４は、電流により再蓄電される。制御ユニット４２４は、以上に言及した方法で、スイッチユニット４０８を制御するため、照明装置４１２を流れる電流値を決定する。デューティサイクルは一般的に、図４ａに示されたシステムの、利用される構成要素に依存する。本実施例は、スイッチ装置４０８の適切なデューティサイクルにより、一定の相対光出力をもたらす。
【００４１】
図４ｂは、第２の実施例による回路を示す。図示される回路は、フライバック・コンバータ・トポロジで構成されている。既知のユニットは、図４ａと同一の参照番号を持つ。該回路もまた、駆動回路４１６と照明回路４１８とに分けられる。駆動回路４１６はＤＣ電圧源４０２を有し、該ＤＣ電圧源４０２の負極電位は接地電位である。更に、ここでもまた、電界効果トランジスタがスイッチユニット４０８として利用される。駆動回路４１６は更に、変圧器４０４の第１のコイル４２０を有する。変圧器４０４は、照明回路４１８から、駆動回路４１６を電気的に減結合する。例えば、変圧器４０４は蓄積変圧器であっても良い。
【００４２】
照明回路４１８は、直列に接続された変圧器４０４の第２のコイル４２２とダイオード４０６とを有する。更に、シャント抵抗４１０と照明装置４１２とが、同様に直列に接続される。図示された実施例によれば、照明装置４１２は、ここでもまた、ＬＥＤである。照明装置４１２の陽極は接地されている。任意のコンデンサ４１４が、シャント抵抗４１０及び照明装置４１２に並列に接続されても良い。
【００４３】
スイッチユニット４０８が導通状態である場合には、電流が変圧器４０４の第１のコイル４２０を通って流れ、増大された磁束を誘導する。換言すれば、導通段階の間、エネルギーが変圧器４０４へと蓄えられる。同時に、ダイオード４０６が電流の流れを回避する。なぜなら、変圧器４０４の二次巻線４２２が負であるからである。同時に、コンデンサ４１４が自身に蓄えられたエネルギーを照明装置４１２へと供給し、その際に光が発せられる。照明装置４１２を流れる電流値は、シャント抵抗４１０を流れる電流値と同じである。従って、測定される電圧及び既知のシャント抵抗４１０により、制御ユニット（図示されていない）により当該電流値が算出され得る。デューティサイクルは、第１の実施例（図４ａを参照されたい）のデューティサイクルのように動作する。
【００４４】
スイッチユニット４０８が非導通状態であるときには、電流が駆動回路４１６内を流れることができない。しかしながら、コイル４２０及び４２２は電流を保持しようとし、磁束の変化に抗して動作しようとする。斯くして、電流は逆バイアス状態でないダイオード４０６を流れ、蓄えられたエネルギーが照明装置４１２及び任意のコンデンサ４１４に転送される。一方では該電流が任意のコンデンサ４１４を再蓄電し、他方では発光をもたらす。照明装置４１２を流れる電流は、導通状態における場合と同様の態様で制御される。
【００４５】
本実施例は、スイッチ装置４０８の適切なデューティサイクルにより一定の相対光出力をもたらし、それにより駆動回路４１６及び照明回路４１８は電気的に減結合される。該デューティサイクルは、図４ｂのシステムの、利用される構成要素に依存する。
【００４６】
図５は、第３の実施例による回路を示す。該回路は、フォワード・コンバータ・トポロジで構成される。既知のユニットは繰り返して言及されず、図４ａ及び図４ｂと同一の参照番号を持つ。該回路もまた、駆動回路５１６と照明回路５１８とに分けられる。しかしながら、これらの回路５１６及び５１８は、駆動回路５１６が、変圧器５０２の２つの一次コイル５２０及び５２２並びに更にダイオード５０４を備える点で、図４ｂの回路４１６及び４１８とは異なる。変圧器５０２は、高周波変圧器であっても良い。
【００４７】
照明回路５１８は更に、直列のダイオード４０６とシャント抵抗４１０との間に接続された、インダクタンス５１０を有する。ダイオード５０８は、インダクタンス５１０、シャント抵抗４１０及び照明装置４１２に並列に接続される。
【００４８】
スイッチユニット４０８は、図４ａ又は図４ｂの実施例におけるものと同様の態様で制御される。
【００４９】
スイッチユニット４０８が導通状態である場合には、電流が増大された磁束を誘導し、一次コイル５２０から二次コイル５２４へとエネルギーが転送される。エネルギーは変圧器５０２の鉄心に蓄えられないが、該エネルギーは電流によって直接に照明装置４１２へと送られる。該電流はインダクタンス５１０をも通って流れ、それによりエネルギーが該インダクタンスの磁界内に蓄えられる。コンデンサ４１４が更に配置される場合には、該電流は更にコンデンサ４１４を蓄電する。コンデンサ４１４は、照明装置４１２を流れる電流を滑らかにするために備えられ得る。
【００５０】
スイッチユニット４０８が非導通状態であるときには、エネルギーが駆動回路５１６から照明回路５１８へと転送されることができない。一次側における残りの磁束は、ダイオード５０４により解放される。照明回路においては、インダクタ５１０は電流を保持しようとする。それ故、電流はダイオード５０８を流れ、また照明装置４１２を流れる。このことは、一定の光出力に帰着する。該電流は、上述した実施例におけるものと同様の態様で制御され、スイッチユニット４０８を動作させるためのデューティサイクルは、ここでもまた、図５のシステムの、利用される構成要素に依存する。
【００５１】
図６は、更なる実施例によるシステム６００を示す。２つのシステム１００が、絶縁なしで同一のヒートシンク１０８に直接に装着される。それ故、変圧器が、これらシステム１００の接続のための複数の絶縁された巻線を有する必要がある。これらシステム１００は、斯かる変圧器の連続するタップ間に配置されても良い。更に、同一のヒートシンク１０８に幾つかのシステム１００を実装することも可能である。
【００５２】
本発明の主な適用分野は、自動車市場であり得る（例えば尾灯）。この分野においては特に、その単色の光のために、高い電力消費を伴う照明装置が、信号及び看板のために利用される。しかしながら、一般的な照明市場も、考えられ得る適用分野である。
【００５３】
好適な実施例に適用された本発明の基本的な新規な特徴が示され、説明され、指摘されたが、本装置及び方法の形態及び詳細における種々の省略及び置換並びに変更が、本発明の精神から逸脱することなく当業者により為され得ることは理解されるであろう。例えば、同一の結果を達成するため略同一の方法で略同一の機能を実行する、要素及び／又は方法ステップの全ての組み合わせが、本発明の範囲内であることが、明確に意図される。更に、本発明のいずれの開示された形態又は実施例と組み合わせられて示された及び／又は説明された構造及び／又は要素及び／又は方法ステップも、設計選択の一般的な事項として、他のいずれの開示された又は説明された又は示唆された形態又は実施例に組み込まれ得る。それ故、ここに添付された請求の範囲によって示されるようにのみ制限されることが意図される。いずれの参照記号も、請求の範囲を制限するものとして解釈されるべきではないことは、認識されるべきである。
【符号の説明】
【００５４】
２００，６００  システム
１０２，４１２  照明装置
１０４          スラグ
１０６          絶縁層
１０８          ヒートシンク
１１０          陽極
１１２          陰極
４０２          電圧限
４０４，５０２  変圧器
４０６，５０４  ダイオード
４０８          スイッチユニット
４１０          シャント抵抗
４１４          コンデンサ
４１６，５１６  駆動回路
４１８，５１８  照明回路
４２４          制御ユニット
４２６          コイル
４２８，４３０  端子
５１０          インダクタンス
【図１】
0005997333.tif 000002
【図２】
0005997333.tif 000003
【図３】
0005997333.tif 000004
【図４（ａ）】
0005997333.tif 000005
【図４（ｂ）】
0005997333.tif 000006
【図５】
0005997333.tif 000007
【図６】
0005997333.tif 000008